(57)【要約】      （修正有）【課題】  高濃度で高流量の酸素ガスを患者に供給することができ、騒音も軽減でき、使用比率の低い高流量処方の患者にも使用の対応が可能である酸素供給装置を提供する。【解決手段】  酸素供給装置１は複数の酸素濃縮器２、３で生成された酸素ガスが酸素導入ポートａ、ｂで合体し、酸素出口１１よりカニューラ等の供給手段４に該酸素ガスを供給する。酸素供給装置には酸素ガスの流量確認手段および酸素ガスの微調整をするための流量調整手段を設ける。【選択図】  図３
2005046566.tif 000002
【特許請求の範囲】
【請求項１】
酸素濃縮器で生成された酸素ガスをカニューラ等の供給手段により供給する酸素供給装置において、複数の酸素濃縮器で生成された酸素ガスを集合する集合手段を有し、集合手段で集合した酸素ガスを該供給手段に供給することを特徴とする酸素供給装置。
【請求項２】
該集合手段に、集合された酸素ガスの流量を確認するための流量確認手段を備えたことを特徴とする請求項１記載の酸素供給装置。
【請求項３】
該集合手段に、集合された酸素ガスの流量を微調整するための流量調整手段を備えたことを特徴とする請求項１および２項記載の酸素供給装置。
【発明の詳細な説明】
【発明の詳細な説明】
【技術分野】
【０００１】本発明は、酸素ガスを使用者に供給するための酸素供給装置に関する。【０００２】さらに詳しくは、本発明は、複数の酸素濃縮器で生成された酸素ガスを、集合手段により集合し、集合した酸素ガスをカニューラ等の供給手段に供給することを特徴とする酸素供給装置である。
【背景技術】
【０００３】近年、酸素濃縮器は、呼吸器疾患の患者のために在宅酸素療法で使用されるようになり、在宅酸素療法においては、医師の診断により患者に投与する酸素の酸素濃度と酸素流量が処方される。【０００４】処方される酸素濃度は一般的に９０％以上が主である。また、酸素流量は一般的に５Ｌ／分以下の処方が主で在宅酸素療法患者の約９５％以上を占めており、５Ｌ／分以下の低流量型の酸素濃縮器が使用されている。医師の処方流量は疾患の重軽や症状によってさまざまであるが、近年、喘息や肺気腫、慢性気管支炎等の呼吸器系疾患に苦しむ患者が増加する傾向にあり、その中でも５Ｌ／分を超える高流量の処方が増える傾向にある。これにともない５Ｌ／分を超える高流量型の酸素濃縮器が開発されるようになった。【０００５】酸素濃縮器は、酸素を選択的に透過する膜を用いた膜型酸素濃縮器や、窒素を選択的に吸着する吸着剤を用いた吸着型酸素濃縮器が多用されている。吸着型酸素濃縮器は、吸着剤を充填した吸着筒にコンプレッサで圧縮空気を導入し加圧状態で窒素を吸着させることにより酸素ガスを得る吸着工程と、吸着筒の内圧を減少させて窒素を脱着させて吸着剤の再生を行なう脱着工程を交互におこなうことにより酸素ガスを得る圧力変動吸着型酸素濃縮器が用いられる。一般に圧力変動吸着型酸素濃縮器は酸素濃度を約９０％に保ち、必要な酸素流量は酸素濃縮器の本体に設けられた流量設定手段により設定され患者へ供給される。【０００６】高流量型の吸着型酸素濃縮器は、酸素ガスの生成容量が大きいため、コンプレッサは能力の大きいもの、吸着筒は容量が大きなもの、吸着剤は吸着性能が優れたものを使用しなければならず、それぞれの選定は複雑であり、酸素濃度を９０％以上に維持することが難しく、また、コンプレッサの能力の大きなものが使用されるため酸素濃縮器の騒音値が大きいという欠点を有していた。
また、付け加えると、患者使用比率が低いわりに開発コストがかかり、酸素濃縮器の製品単価の上昇につながるものであった。
【発明が解決しようとする課題】
【０００７】在宅酸素療法において、高濃度で高流量の酸素ガスを患者に供給するために、また、患者が騒音を気にせずに酸素濃縮器を使用できるようにするために、複数の低流量型の酸素濃縮器を用い、これら酸素濃縮器で生成された酸素ガスを、集合手段により集合し、集合した酸素ガスをカニューラ等の供給手段に供給することを特徴とする酸素供給装置を提供しようとするものである。
【発明を解決するための手段】
【０００８】酸素濃縮器で生成された酸素ガスをカニューラ等の供給手段により供給する酸素供給装置において、複数の酸素濃縮器で生成された酸素ガスの集合手段を有し、集合手段で集合した酸素ガスを該供給手段に供給することを特徴とする酸素供給装置を提供する。
【発明を実施するための最良の形態】
【０００９】図１及び図２は、本発明の酸素供給装置の第一実施態様例を示したものである。
図１は外観図であり、図２は配管経路を示す図である。図１における酸素供給装置の本体１のパネル部１０には、酸素導入ポートａと酸素導入ポートｂが設けられており、酸素導入ポートａは、低流量型の酸素濃縮器の酸素出口と接続され、パネル部１０には酸素導入ポートｂは、別の低流量型の酸素濃縮器の酸素出口と接続される。また、には、酸素出口１１が設けられており、この酸素出口１１にはカニューラ等の供給手段が設続される。また、図２に示すように配管経路は酸素導入ポートａと酸素導入ポートｂはパネル部１０の背後の配管１２で合流し、合流した配管は一つになり酸素出口１１の背後に接続されている。【００１０】図３は、本発明における酸素供給装置と酸素濃縮器と供給手段の接続を示すものであり、本図においては第一実施態様例の酸素供給装置が接続されている。以降述べる第二実施態様例または第三実施態様例の酸素供紿装置を置き換えることができる。【００１１】図３のように酸素供給装置１と低流量型の酸素濃縮器２と３を配管１３で接続しさらに供給手段４を酸素供給装置１に接続し、低流量型の酸素濃縮器２と３の運転を開始すると、それぞれの酸素濃縮器で生成された酸素ガスは、酸素供給装置１の酸素導入ポートａと酸素導入ポートｂから取り込まれ内部で集合し、集合した酸素ガスがパネル１０背後で一体になり酸素出口１１に出てくる。この酸素ガスはカニューラ等の供給手段４へ送られ患者に供給される。【００１２】図４及び図５は、本発明の酸素供給装置の第二実施態様例を示したものである。図４は外観図であり、図５は配管経路を示す図である。この実施態様例は第一実施態様例における酸素供給装置１のパネル部１０にさらに集合された酸素ガスの流量を確認するためのフロート式流量計からなる流量確認手段６を設けたものである。流量計は、酸素導入ポートａと酸素導入ポートｂのパネル部１０の背後で配管１２が合流した後に接続され、酸素出口１１の背後に導かれている。【００１３】この第二実施態様例においては、酸素供給装置１と低流量型の酸素濃縮器２と３を配管１３で接続し、さらに供給手段４を接続して低流量型の酸素濃縮器２と３の運転を開始すると、供給手段４から吐出する酸素ガスの流量は、理論的には酸素濃縮器２から生成される酸素ガスの流量と酸素濃縮器３から生成される酸素ガスの流量を集合（プラス）した流量となるが、低流量型の酸素濃縮器２の酸素出口２１から酸素導入ポートａまでの配管抵抗及び酸素出口３１から酸素導入ポートｂまでの配管抵抗や、酸素出口１１に接続される供給手段４の抵抗により実際の流量は低下する。本実施例においては、フロート式の流量計からなる流量確認手段６が配備されているため実質的な酸素ガスの流量を確認することができる。なお、この第二実施態様例における酸素ガスの流量の調整方法としては、低流量型の酸素濃縮器２と３の流量設定ノブ２２と２３を回して各々の流量設定を変更し、流量確認手段６の流量指示を確認しながら調整できる。【００１４】図６及び図７は、本発明の酸素供給装置１の第三実施態様例を示したものであり、第二実施態様例における酸素供給装置１にさらに集合された酸素ガスの流量を調整するための絞り弁を有する流量調整手段７を設けたものである。絞り弁は、酸素導入ポートａと酸素導入ポートｂの背後にある各々の配管が合流された後に接続された流量計の前あるいは後に配備され、絞り弁に取り付けられた調整つまみを回すことにより酸素ガスの流量の微調整が可能となる。【００１５】前述の第二実施態様例においては実質的な流量の調整方法は、低流量型の酸素濃縮器２と３の流量設定を変更することにより行うが、この第三実施態様例においては、さらにパネル１０に流量調整手段７により酸素ガスの流量の微調整が可能なため、より精度良く酸素ガスを供給手段４を介して患者に供給することができる。【００１６】また、本発明の各実施態様例では、本体の上部に持ち運び及び移動を容易にするため取っ手１３を設けたが、必ずしも必要としない。【００１７】また、本発明の実施態様例の説明では、その構造を模式的に示したが、構成する各要素の配置や形状は実施態様例に限定されるものではない。すなわち、本発明は複数の酸素濃縮器で生成された酸素ガスを、合体手段により合体することにより、カニューラ等の供給手段に高流量の酸素ガスを供給することを特徴とする酸素供給装置にある。
【発明の効果】
【００１８】本発明は、複数の酸素濃縮器で生成された酸素ガスを、集合手段により集合することにより、カニューラ等の供給手段に高流量の酸素ガスとして供給することを特徴とする酸素供給装置にあるため、高濃度の酸素ガスを高流量にして患者に供給することができ、コンプレッサも小型でよいため騒音も軽減でき、使用比率の低い高流量処方の患者にも使用が可能となる。
【図面の簡単な説明】
【図１】  本発明の第一実施態様例の外観図である。
【図２】  本発明の第一実施態様例の配管経路を示す図である。
【図３】  本発明における酸素供給装置と酸素濃縮器と供給手段の接続を示す図である。
【図４】  本発明の第二実施態様例の外観図である。
【図５】  本発明の第二実施態様例の配管経路を示す図である。
【図６】  本発明の第三実施態様例の外観図である。
【図７】  本発明の第三実施態様例の配管経路を示す図である。
【図１】
2005046566.tif 000003
【図２】
2005046566.tif 000004
【図３】
2005046566.tif 000005
【図４】
2005046566.tif 000006
【図５】
2005046566.tif 000007
【図６】
2005046566.tif 000008
【図７】
2005046566.tif 000009